【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
顧客の入力操作に応じて設定されたルール情報に基づいて、当該顧客の資金口座から所定の蓄積口座へ資金を振り替えて、所定の目標金額を蓄積させるためのシステムであって、
入力操作に応じて設定された所定の資金計算ルール情報を記憶する資金計算ルール記憶手段と、
前記顧客の資金口座に関する口座情報を記憶する口座情報記憶手段と、
前記資金計算ルール情報に基づいて、前記顧客の資金口座から所定の蓄積口座に振り替えるべき振替資金の振替金額を計算する資金計算手段と、
前記計算された振替金額に基づいて、前記顧客の資金口座を管理する所定の金融機関装置に所定の資金振替指示情報を送信する資金振替指示手段と、
前記振替金額を含む所定の蓄積資金情報を生成する蓄積資金情報生成手段と、を備え、
前記資金計算ルールとして、
所定の利用明細情報又は取引情報の金額と所定の設定金額との差で示される端数金額を、前記振替金額として算出する端数ルールを設定可能であり、
ユーザにより設定された所定期間毎に所定の固定金額を前記振替金額として算出する定期ルールを設定可能である
ことを特徴とする端数資金振替蓄積システム。
【請求項２】
前記資金計算ルールとして、
キャッシュバック又はポイント付与が行われた場合に、その対象額分を前記振替金額として算出するその他ルールを設定可能である
ことを特徴とする請求項１に記載の端数資金振替蓄積システム。
【請求項３】
前記金融機関装置からの資金振替結果に応じて、振替の成功有無を示す資金振替ステータスを変更する
ことを特徴とする請求項１又は２に記載の端数資金振替蓄積システム。
【請求項４】
前記資金振替指示手段は、所定の定期的なタイミングで前記金融機関装置に所定の資金振替指示情報を送信する
ことを特徴とする請求項１〜３のいずれか一項記載の端数資金振替蓄積システム。
【請求項５】
前記資金計算手段が、前記顧客の資金口座の引落金額が所定値に達したことを算出し、
前記蓄積資金情報生成手段が、当該引落金額が所定値に達したことを示す情報を前記顧客が操作可能な顧客端末に送信する
ことを特徴とする請求項１〜４のいずれか一項記載の端数資金振替蓄積システム。
【請求項６】
前記資金計算手段が、前記振替金額の総計が前記目標金額に達しない可能性があることを算出し、
前記蓄積資金情報生成手段が、前記振替金額の総計が前記目標金額に達しない可能性があることを示す情報を前記顧客が操作可能な顧客端末に送信する
ことを特徴とする請求項１〜５のいずれか一項記載の端数資金振替蓄積システム。
【請求項７】
前記金融機関装置は、
前記蓄積口座の振替金額が所定金額になると、当該振替資金によって所定の金融商品の購入処理を実行可能である
ことを特徴とする請求項１〜６のいずれか一項記載の端数資金振替蓄積システム。
【請求項８】
前記蓄積口座として、単一の顧客によって複数の蓄積口座を設定可能である
ことを特徴とする請求項１〜７のいずれか一項記載の端数資金振替蓄積システム。
【請求項９】
前記単一の顧客によって設定された複数の蓄積口座に対して、前記端数ルール、定期ルール及びその他ルールの少なくともいずれかを設定可能である
ことを特徴とする請求項８に記載の端数資金振替蓄積システム。
【請求項１０】
前記蓄積口座として、複数の顧客によって共通の蓄積口座を設定可能である
ことを特徴とする請求項１〜９のいずれか一項記載の端数資金振替蓄積システム。
【請求項１１】
前記複数の顧客によって設定された共通の蓄積口座に対して、前記端数ルール、定期ルール及びその他ルールの少なくともいずれかを設定可能である
ことを特徴とする請求項１０に記載の端数資金振替蓄積システム。
【請求項１２】
顧客の入力操作に応じて設定されたルール情報に基づいて、当該顧客の資金口座から所定の蓄積口座へ資金を振り替えて、所定の目標金額を蓄積させるためのシステムを構成するコンピュータを、
入力操作に応じて設定された所定の資金計算ルール情報を記憶する資金計算ルール記憶手段、
前記顧客の資金口座に関する口座情報を記憶する口座情報記憶手段、
前記資金計算ルール情報に基づいて、前記顧客の資金口座から所定の蓄積口座に振り替えるべき振替資金の振替金額を計算する資金計算手段、
前記計算された振替金額に基づいて、前記顧客の資金口座を管理する所定の金融機関装置に所定の資金振替指示情報を送信する資金振替指示手段、
前記振替金額を含む所定の蓄積資金情報を生成する蓄積資金情報生成手段、として機能させ、
前記資金計算ルールとして、
所定の利用明細情報又は取引情報の金額と所定の設定金額との差で示される端数金額を、前記振替金額として算出する端数ルールを設定可能であり、
ユーザにより設定された所定期間毎に所定の固定金額を前記振替金額として算出する定期ルールを設定可能である
ことを特徴とする端数資金振替蓄積プログラム。
【請求項１３】
顧客の入力操作に応じて設定されたルール情報に基づいて、当該顧客の資金口座から所定の蓄積口座へ資金を振り替えて、所定の目標金額を蓄積させるためのシステムを構成するコンピュータを用いて、
入力操作に応じて設定された所定の資金計算ルール情報を記憶する資金計算ルール記憶手順、
前記顧客の資金口座に関する口座情報を記憶する口座情報記憶手順、
前記資金計算ルール情報に基づいて、前記顧客の資金口座から所定の蓄積口座に振り替えるべき振替資金の振替金額を計算する資金計算手順、
前記計算された振替金額に基づいて、前記顧客の資金口座を管理する所定の金融機関装置に所定の資金振替指示情報を送信する資金振替指示手順、
前記振替金額を含む所定の蓄積資金情報を生成する蓄積資金情報生成手順、を実行し、
前記資金計算ルールとして、
所定の利用明細情報又は取引情報の金額と所定の設定金額との差で示される端数金額を、前記振替金額として算出する端数ルールを設定可能であり、
ユーザにより設定された所定期間毎に所定の固定金額を前記振替金額として算出する定期ルールを設定可能である
ことを特徴とする端数資金振替蓄積方法。
【手続補正２】
【補正対象書類名】明細書
【補正対象項目名】００１０
【補正方法】変更
【補正の内容】
【００１０】
上記目的を達成するため、本発明の端数資金振替蓄積システムは、顧客の入力操作に応じて設定されたルール情報に基づいて、当該顧客の資金口座から所定の蓄積口座へ資金を振り替えて、所定の目標金額を蓄積させるためのシステムであって、入力操作に応じて設定された所定の資金計算ルール情報を記憶する資金計算ルール記憶手段と、前記顧客の資金口座に関する口座情報を記憶する口座情報記憶手段と、前記資金計算ルール情報に基づいて、前記顧客の資金口座から所定の蓄積口座に振り替えるべき振替資金の振替金額を計算する資金計算手段と、前記計算された振替金額に基づいて、前記顧客の資金口座を管理する所定の金融機関装置に所定の資金振替指示情報を送信する資金振替指示手段と、前記振替金額を含む所定の蓄積資金情報を生成する蓄積資金情報生成手段と、を備え、前記資金計算ルールとして、所定の利用明細情報又は取引情報の金額と所定の設定金額との差で示される端数金額を、前記振替金額として算出する端数ルールを設定可能であり、ユーザにより設定された所定期間毎に所定の固定金額を前記振替金額として算出する定期ルールを設定可能である構成としてある。